(57)【要約】【課題】撮像機能付き電子機器の表示画面に良好な画質の画像データを表示すること。【解決手段】カメラ装置１０４と、複数のＣＭＯＳ画素がマトリクス状に配列された正方形状の受光領域を有する撮像素子１０５とを有する携帯電話機１００である。カメラ装置１０４でアナログの画像として受光し、撮像素子１０５で生成したデジタルの画像データを、携帯電話機１００の所持者からみて縦長又は横長の長方形で表示可能な表示画面１０９と、撮像素子１０５から表示画面１０９と縦横同じ比率の長方形の画像データを取り出す画像処理部１１１と、撮像素子１０５から取り出された画像データを縦横の比率を維持した状態で表示画面１０９に表示する表示制御部１１２とを備えている。【選択図】図２
2011151515.tif 000002
【特許請求の範囲】
【請求項１】
レンズ群、絞り装置及びシャッターを有する光学装置と、
複数の受光画素がマトリクス状に配列された正方形状の受光領域を有し、前記受光領域により、前記光学装置から受光した画像を、縦及び横の長さが撮像素子の一辺の長さに一致する画像データに変換する撮像素子と、
前記画像データを、電子機器の所持者からみて縦長又は横長の長方形で表示可能な表示画面と、
前記撮像素子から前記縦長又は横長とされた表示画面と縦横同じ比率の長方形の画像データを取り出す画像処理手段と、
前記撮像素子から取り出された前記画像データを縦横の比率を維持した状態で前記表示画面に表示させる表示制御手段と、
を備えることを特徴とする撮像機能付き電子機器。
【請求項２】
前記電子機器の表示画面が、当該電子機器の所持者からみて縦長及び横長のいずれの状態であるかを検知する検知手段をさらに備え、
前記画像処理手段は、前記検知手段の検知結果に基づいて、前記撮像素子から前記縦長又は横長とされた表示画面と縦横同じ比率の長方形の画像データを取り出すことを特徴とする請求項１に記載の撮像機能付き電子機器。
【請求項３】
前記画像処理手段が前記撮像素子から取り出す画像データの画素数と、前記表示画面の表示画素数が同じであることを特徴とする請求項１又は２に記載の撮像機能付き電子機器。
【請求項４】
レンズ群、絞り装置及びシャッターを有する光学装置と、
複数の受光画素がマトリクス状に配列された正方形状の受光領域を有し、前記受光領域により、前記光学装置から受光した画像を、縦及び横の長さが撮像素子の一辺の長さに一致する画像データに変換する撮像素子と、
前記画像データを、電子機器の所持者からみて縦長又は横長の長方形で表示可能な表示画面と、
前記撮像素子から前記縦長又は横長とされた表示画面と縦横同じ比率の長方形の画像データを取り出す画像処理手段と、
前記撮像素子から取り出された前記画像データを縦横の比率を維持した状態で前記表示画面に表示させる表示制御手段と、
を備えることを特徴とするカメラ機能付き携帯電話機。
【請求項５】
複数の受光画素がマトリクス状に配列された正方形状の受光領域により、レンズ群、絞り装置及びシャッターを有する光学装置から受光した画像を、縦又は横の長さが撮像素子の一辺の長さに一致する画像データに撮像素子で変換し、
前記画像データを、電子機器の所持者からみて縦長又は横長の長方形で表示画面に表示し、
前記撮像素子から前記縦長又は横長とされた表示画面と縦横同じ比率の長方形の画像データを取り出し、
前記撮像素子から取り出された前記画像データを縦横の比率を維持した状態で前記表示画面に表示することを特徴とする画像データの表示方法。
【請求項６】
レンズ群、絞り装置及びシャッターを有する光学装置と、
複数の受光画素がマトリクス状に配列された正方形状の受光領域を有し、前記受光領域により、前記光学装置から受光した画像を、縦及び横の長さが撮像素子の一辺の長さに一致する画像データに変換する撮像素子と、
前記画像データを、電子機器の所持者からみて縦長又は横長の長方形で表示可能な表示画面と、を有する撮像機能付き電子機器に設けられるコンピュータを、
前記撮像素子から前記縦長又は横長とされた表示画面と縦横同じ比率の長方形の画像データを取り出す画像処理手段、
前記撮像素子から取り出された前記画像データを縦横の比率を維持した状態で前記表示画面に表示させる表示制御手段、として機能させることを特徴とする画像データの表示プログラム。
【発明の詳細な説明】
【技術分野】
【０００１】
本発明は、撮像機能付き電子機器、カメラ機能付き携帯電話機、画像データの表示方法、及び画像データの表示プログラムに関する。
【背景技術】
【０００２】
レンズ群、絞り装置及びシャッターからなるカメラ装置と、複数のＣＣＤ又はＣＭＯＳ画素からなる撮像素子とを備え、カメラ装置で受光したアナログの画像を、撮像素子でデジタルの画像データに変換し、その画像データをＬＣＤなどの複数の表示画素から構成される表示画面に表示するようにしたカメラ機能付き携帯電話機が普及している。
【０００３】
このような携帯電話機には、図７に示すように、所謂ＶＧＡ(Video Graphics Array)の規格に準拠し、縦長（表示画素  縦６４０×横４８０ピクセル）の長方形の表示画面に対して、横長（受光画素  縦４８０×横６４０ピクセル）の撮像素子を配置したものと、図８に示すように、横長（表示画素  縦４８０×横６４０ピクセル）の長方形の表示画面に対して、縦長（受光画素  縦４８０×横６４０ピクセル）の撮像素子を配置したものとが知られている（例えば、特許文献１参照）。
【先行技術文献】
【特許文献】
【０００４】
【特許文献１】特開２００６−１８６６７９号公報
【発明の概要】
【発明が解決しようとする課題】
【０００５】
図７に示す携帯電話機では、携帯電話機を縦方向に所持したユーザからみて縦長の表示画面（表示画素  縦６４０×横４８０ピクセル）に縦横の比率を合わせるため、撮像素子から、縦長（画素数  縦３２０×横２４０ピクセル）の画像データを取り出し、２倍に拡大（情報量を半分に低下）して当該表示画面に表示する。一方、図８に示す携帯電話機では、携帯電話機を横方向に所持したユーザからみて横長の表示画面（表示画素  縦４８０×横６４０ピクセル）に縦横の比率を合わせるため、撮像素子から、横長（画素数  縦２４０×横３２０ピクセル）の画像データを取り出し、２倍に拡大（情報量を半分に低下）して当該表示画面に表示する。ここでは、携帯電話機が縦置き又は横置きのいずれの状態とされているかの判断は、携帯電話機に内蔵された加速度センサと制御回路によって実行される。そして、携帯電話機の縦置き又は横置きの状態に応じて、撮像素子からその縦横の比率に合わせた画像データがとり出され、当該携帯電話機の表示画面に表示される。
このため、いずれのタイプの携帯電話機でも表示画面に表示される画像データの情報量が小さくなり、画像データの画質が低下する問題点があった。
【０００６】
本発明は、上記問題点に鑑みてなされたものであり、表示画面に良好な画質の画像データを表示することが可能な撮像機能付き電子機器を提供することを目的とする。
【課題を解決するための手段】
【０００７】
上記目的を達成するため、本発明の第１の観点に係る撮像機能付き電子機器は、レンズ群、絞り装置及びシャッターを有する光学装置と、
複数の受光画素がマトリクス状に配列された正方形状の受光領域を有し、前記受光領域により、前記光学装置から受光した画像を、縦及び横の長さが撮像素子の一辺の長さに一致する画像データに変換する撮像素子と、
前記画像データを、電子機器の所持者からみて縦長又は横長の長方形で表示可能な表示画面と、
前記撮像素子から前記縦長又は横長とされた表示画面と縦横同じ比率の長方形の画像データを取り出す画像処理手段と、
前記撮像素子から取り出された前記画像データを縦横の比率を維持した状態で前記表示画面に表示させる表示制御手段と、
を備えることを特徴とする。
【０００８】
本発明の第２の観点に係るカメラ機能付き携帯電話機は、レンズ群、絞り装置及びシャッターを有する光学装置と、
複数の受光画素がマトリクス状に配列された正方形状の受光領域を有し、前記受光領域により、前記光学装置から受光した画像を、縦又は横の長さが撮像素子の一辺の長さに一致する画像データに変換する撮像素子と、
前記画像データを、電子機器の所持者からみて縦長又は横長の長方形で表示可能な表示画面と、
前記撮像素子から前記縦長又は横長とされた表示画面と縦横同じ比率の長方形の画像データを取り出す画像処理手段と、
前記撮像素子から取り出された前記画像データを縦横の比率を維持した状態で前記表示画面に表示させる表示制御手段と、
を備えることを特徴とする。
【０００９】
本発明の第３の観点に係る画像データの表示方法は、複数の受光画素がマトリクス状に配列された正方形状の受光領域により、レンズ群、絞り装置及びシャッターを有する光学装置から受光した画像を、縦及び横の長さが撮像素子の一辺の長さに一致する画像データに撮像素子で変換し、
前記画像データを、電子機器の所持者からみて縦長又は横長の長方形で表示画面に表示し、
前記撮像素子から前記縦長又は横長とされた表示画面と縦横同じ比率の長方形の画像データを取り出し、
前記撮像素子から取り出された前記画像データを縦横の比率を維持した状態で前記表示画面に表示することを特徴とする。
【００１０】
本発明の第４の観点に係る画像データの表示プログラムは、レンズ群、絞り装置及びシャッターを有する光学装置と、
複数の受光画素がマトリクス状に配列された正方形状の受光領域を有し、前記受光領域により、前記光学装置から受光した画像を、縦又は横の長さが撮像素子の一辺の長さに一致する画像データに変換する撮像素子と、
前記画像データを、電子機器の所持者からみて縦長又は横長の長方形で表示可能な表示画面と、を有する撮像機能付き電子機器に設けられるコンピュータを、
前記撮像素子から前記縦長又は横長とされた表示画面と縦横同じ比率の長方形の画像データを取り出す画像処理手段、
前記撮像素子から取り出された前記画像データを縦横の比率を維持した状態で前記表示画面に表示させる表示制御手段、として機能させることを特徴とする。
【発明の効果】
【００１１】
本発明によれば、撮像機能付き電子機器の表示画面に良好な画質の画像データを表示することができる。
【図面の簡単な説明】
【００１２】
【図１】（ａ）は、本発明の実施形態に係る撮像機能付き電子機器が実現されるカメラ機能付き携帯電話機の外観を示す正面図であり、（ｂ）は、同携帯電話機の外観を示す背面図である。
【図２】本発明の実施形態に係る携帯電話機の電気的構成を示すブロック図である。
【図３】本発明の実施形態に係る携帯電話機の動作を示すフローチャートである。
【図４】本発明の実施形態に係る携帯電話機において、携帯電話機を所持するユーザから見て縦長とされた表示画面に縦長の画像データを表示する態様を説明するための模式図である。
【図５】本発明の実施形態に係る携帯電話機において、携帯電話機を所持するユーザから見て横長とされた表示画面に横長の画像データを表示する態様を説明するための模式図である。
【図６】（ａ）は、本発明の変形例に係る携帯電話機において、携帯電話機を所持するユーザから見て縦長とされた表示画面に縦長の画像データを表示する態様を説明するための模式図であり、（ｂ）は、同変形例に係る携帯電話機において、携帯電話機を所持するユーザから見て横長とされた表示画面に横長の画像データを表示する態様を説明するための模式図である。
【図７】参考例の携帯電話機において、表示画面に画像データを表示する態様を説明するための模式図である。
【図８】別の参考例の携帯電話機において、表示画面に画像データを表示する態様を説明するための模式図である。
【発明を実施するための形態】
【００１３】
以下に本発明の実施形態を説明する。各種のコンピュータ、ＰＤＡ、携帯電話機、電子カメラなどの電子機器において本発明を適用することができる。すなわち、以下に記載する実施形態は説明のためのものであり、本願発明の範囲を制限するものではない。したがって、当業者であればこれらの各要素又は全要素をこれと均等なものに置換した実施形態を採用することが可能であるが、これらの実施形態も本発明の範囲に含まれる。
【００１４】
図１（ａ）及び（ｂ）に示すように、本発明の実施の形態に係る撮像機能付き電子機器が実現されるカメラ機能付き携帯電話機１００（以下、単に「携帯電話機１００」という。）は、折り畳み式のものであり、第１筐体１０と第２筐体１１とがヒンジ部１０ａ（図１（ａ）参照）を介して折り畳み可能に連結されている。
【００１５】
携帯電話機１００は、レンズ群、絞り装置及びシャッターを有し、カメラ機能を実現する光学装置としてのカメラ装置１０４と、ＬＣＤ（液晶表示装置：Liquid Crystal Display）から構成される長方形状の表示画面１０９と、を備えている。カメラ装置１０４は、第１筐体１０の背面側下方部に配置され、表示画面１０９は、第１筐体１０の正面側中央部に配置されている。そして、カメラ装置１０４によって撮影した画像は、表示画面１０９に表示可能となっている。この表示画面１０９は、ＶＧＡ(Video Graphics Array)の規格に準拠した表示画素数（図１の状態で縦６４０×横４８０ピクセル）のものである。
【００１６】
携帯電話機１００の第１筐体１０において、表示画面１０９の上方には、音声又はブザー音を吹鳴するスピーカ１０７が配置されている。第２筐体１１には、ユーザからの文字列や数字の入力を受け付けるためのテンキー１０８ｂを有する操作部１０８が配設されている。操作部１０８には、カメラ装置１０４のシャッターを動作させ、撮像素子１０５で生成した画像データを撮影画像（撮像データ）とするための撮像キー１０８ａが配設されている。第２筐体１１において、操作部１０８の下方には、ユーザの声などを集音するマイクロフォン１０６が配置されている。また、第２筐体１１の右側面には、押し下げ操作により、携帯電話機１００を、カメラ装置１０４が作動する撮像モード（カメラモード）に設定するための撮像モード設定ボタン１２が配設されている。なお、本実施形態の携帯電話機１００では、ユーザが携帯電話機１００を図１（ａ）及び（ｂ）に示す縦長の状態で所持したときに、表示画面１０９はユーザから見て縦長の状態となる。
【００１７】
図２に示すように、携帯電話機１００は、主制御部１０１、アンテナ１０２ａを有する送受信部１０２、記憶部１０３、カメラ装置１０４、撮像素子１０５、マイクロフォン１０６、スピーカ１０７、撮像キー１０８ａを有する操作部１０８、撮像モード設定ボタン１２、表示画面１０９、及び加速度センサ１１３と、を備えている。送受信部１０２、記憶部１０３、カメラ装置１０４、撮像素子１０５、マイクロフォン１０６、スピーカ１０７、操作部１０８、撮像モード設定ボタン１２、表示画面１０９、及び加速度センサ１１３は、主制御部１０１に電気的に接続されている。
【００１８】
主制御部１０１は、携帯電話機１００全体の動作を制御し、上述した送受信部１０２などの各構成要素との間で、制御信号やデータをやりとりする。
【００１９】
記憶部１０３は、ＲＯＭ（Read Only Memory）及びＲＡＭ（Random Access Memory）からなる。ＲＯＭには、携帯電話機１００の電源オン直後に実行されるＩＰＬ（Initial Program Loader）が格納され、主制御部１０１がＲＯＭに記録されたプログラムをＲＡＭに読み出して実行する。また、ＲＯＭには、主制御部１０１全体の動作制御に必要なオペレーティングシステム（ＯＳ）のプログラム、その他の動作用のプログラムや各種のデータが記録され、主制御部１０１がこれらのプログラム等を読み出して実行する。ＲＡＭは、データやプログラムを一時的に記憶するためのもので、ＲＯＭから読み出したプログラムやデータ、その他情報処理の進行に必要なデータが保持される。
【００２０】
撮像素子１０５は、複数のＣＭＯＳ画素（縦６４０×横６４０ピクセル）がマトリクス状に配列された正方形状の受光領域（図示せず）を有する。撮像素子１０５は、その一辺が表示画面１０９の短辺に平行になるように携帯電話機１００内に配設されている。撮像素子１０５では、被写体からの光がアナログの画像としてカメラ装置１０４に入り、レンズ群によって集光され、受光領域で受光される。そして、撮像素子１０５は、カメラ装置１０４から受光した画像を、縦及び横の長さが撮像素子の一辺の長さに一致するデジタルの画像データに変換する。つまり、撮像素子１０５の受光領域により受光された光の強弱の光学像が各ＣＭＯＳ画素によりその強弱に応じた信号電圧に変換され、画素数が縦６４０×横６４０ピクセルの画像データとして取得される。このようにして撮像素子１０５で生成した画像データは、撮像素子１０５から画像処理部１１１に出力される。
【００２１】
主制御部１０１には、カメラ装置制御部１１０、画像処理部１１１及び表示制御部１１２が設けられている。主制御部１０１は、記憶部１０３のＲＡＭに変数領域を設け、当該変数に格納された値に対して直接ＡＬＵ（Arithmetic and Logic Unit）を作用させて演算を行う処理や、ＲＡＭに格納された値を一旦レジスタに格納してからレジスタに対して演算を行い、演算結果をメモリに書き戻す、などの処理を行う。
【００２２】
カメラ装置制御部１１０は、レンズ群、絞り装置及びシャッターを備えるカメラ装置１０４を制御し、レンズ群の焦点距離を変更することにより画角の調節を行ったり、絞り装置やシャッタースピードを増減させることにより被写界深度や露光時間を調節したりする。なお、本実施形態のカメラ装置１０４は、所謂ワイド表示対応のものであり、ユーザから見て携帯電話機１００を縦長の姿勢に保持したとき（図１参照）に、縦１．３３×横１．０（アスペクト比４：３）の比率の視野角での撮像が可能である。
【００２３】
画像処理部１１１は、撮像素子１０５から出力された画像データや、記憶部１０３のＲＡＭ等から読み出された画像データを主制御部１０１や画像処理部１１１が備える画像演算プロセッサ（図示せず）によって加工処理した後、これを画像処理部１１１が備えるフレームメモリ（図示せず）に記録する。フレームメモリに記録された画像情報は、所定の同期タイミングでビデオ信号に変換され、表示制御部１１２を介して表示画面１０９へ出力される。また、画像処理部１１１は、撮像素子１０５の受光領域で生成した画像データから所定の領域を取り出す（所定の領域を切り取る）処理を行い、表示制御部１１２に出力する。これにより、各種の画像表示が可能となる。
【００２４】
表示制御部１１２は、表示画面１０９を制御し、当該表示画面１０９に画像や文字情報などの画像データを表示させる。
【００２５】
加速度センサ１１３は、携帯電話機１００の姿勢、詳しくは、重力方向に対する携帯電話機１００の傾きを検知することにより、携帯電話機１００を所持するユーザから見て、表示画面１０９が縦長の状態であるか、横長の状態であるかを検知する。そして、加速度センサ１１３は、検知結果である加速度値を主制御部１０１に出力し、主制御部１０１の画像処理部１１１は、その検知結果に基づいて、表示制御部１１２を介して表示画面１０９に画像データを表示する。
【００２６】
なお、ユーザの音声や外部の音声は、マイクロフォン１０６に入力され、音声信号に変換され、主制御部１０１を経由して、送受信部１０２で電波に変調されてアンテナ１０２ａから外部に送信される。一方、アンテナ１０２ａで受信した電波は、送受信部１０２で音声信号に復調され、主制御部１０１を経由し、スピーカ１０７から音声として吹鳴される。
【００２７】
（携帯電話機１００の動作）
次に、本実施形態に係る携帯電話機１００の動作（画像データの表示処理）について、図３〜図５を参照して説明する。なお、この画像データの表示処理は、記憶部１０３に格納された画像データの表示プログラムによって実行されるが、これに代えて携帯電話機１００のハードウェア構成によって実現することも可能である。
【００２８】
まず、携帯電話機１００が電源オンされた後、携帯電話機１００の主制御部１０１は、携帯電話機１００が撮像モードに設定されたか否かを判別する（ステップＳ１０１）。つまり、主制御部１０１は、ユーザにより撮像モード設定ボタン１２が操作されたか否かを判別する。
【００２９】
主制御部１０１は、撮像モード設定ボタン１２が操作されていないと判別すると（ステップＳ１０１：Ｎｏ）、ユーザによる撮像モード設定ボタン１２の操作有無の判別状態（待機状態）を継続する（ステップＳ１０１）。
【００３０】
一方、撮像モード設定ボタン１２が操作され、主制御部１０１は、携帯電話機１００が撮像モードに設定されたと判別した場合（ステップＳ１０１：Ｙｅｓ）には、主制御部１０１は、加速度センサ１１３からの信号に基づいて、携帯電話機１００を所持するユーザから見て、表示画面１０９が縦長の状態か否かを判別する（ステップＳ１０２）。つまり、主制御部１０１は、撮像モード設定ボタン１２が操作されたことをトリガとして、図４に示すように、携帯電話機１００を所持するユーザから見て、携帯電話機１００が長手方向を鉛直方向にほぼ一致させているか否かを判別する。
【００３１】
次に、主制御部１０１は、表示画面１０９が縦長の状態であると判別した場合（ステップＳ１０２：Ｙｅｓ）には、図４に示すように、画像処理部１１１は、撮像素子１０５から表示画面１０９と縦横同じ比率の長方形（縦長）の画像データ（画素数が縦６４０×横４８０ピクセルの画像データ）を取り出す（ステップＳ１０６）。詳しくは、カメラ装置１０４から入射した光（光の強弱の光学像）は、撮像素子１０５における複数のＣＭＯＳ画素がマトリクス状に配列された正方形状の受光領域において、画素数が縦６４０×横６４０ピクセルの画像データに変換されている。画像処理部１１１は、この画像データからその中央部の縦６４０×横４８０ピクセルの画像データを取り出す。その後、この画像データを表示画面１０９に表示するためにステップＳ１０７に移行する。
【００３２】
一方、主制御部１０１は、表示画面１０９が縦長の状態でないと判別した場合（ステップＳ１０２：Ｎｏ）には、ステップＳ１０３に移行する。
【００３３】
ステップＳ１０７において、表示制御部１１２は、画像処理部１１１が撮像素子１０５から取り出した縦長の画像データを縦横の比率を維持した状態で表示画面１０９に表示する（図４参照）。ここでは、図４に示すように、表示画面１０９は縦長（表示画素  縦６４０×横４８０ピクセル）とされているので、画像データの情報量が保持され、画質が維持される。即ち、撮像素子１０５がＶＧＡに準拠した受光画素である縦６４０×横４８０ピクセルである場合と、同じ画質の画像が表示画面１０９に表示されるようになる。
【００３４】
ステップＳ１０３では、主制御部１０１は、加速度センサ１１３からの信号に基づいて、携帯電話機１００を所持するユーザから見て、表示画面１０９が横長の状態か否かを判別する（ステップＳ１０３）。つまり、主制御部１０１は、図５に示すように、携帯電話機１００を所持するユーザから見て、携帯電話機１００が長手方向を水平方向にほぼ一致させているか否かを判別する。
【００３５】
次に、主制御部１０１は、表示画面１０９が横長の状態であると判別した場合（ステップＳ１０３：Ｙｅｓ）には、図５に示すように、画像処理部１１１は、撮像素子１０５から表示画面１０９と縦横同じ比率の長方形（横長）の画像データ（画素数が縦６４０×横４８０ピクセルの画像データ）を取り出す（ステップＳ１０４）。詳しくは、カメラ装置１０４から入射した光（光の強弱の光学像）は、撮像素子１０５における複数のＣＭＯＳ画素がマトリクス状に配列された正方形状の受光領域において、画素数が縦６４０×横６４０ピクセルの画像データとなっている。画像処理部１１１は、この画像データからその中央部の縦４８０×横６４０ピクセルの画像データを取り出す。その後、この画像データを表示画面１０９に表示するためにステップＳ１０５に移行する。
【００３６】
ステップＳ１０５において、表示制御部１１２は、画像処理部１１１が撮像素子１０５から取り出した横長の画像データを縦横の比率を維持した状態で表示画面１０９に表示する（図５参照）。ここでは、図５に示すように、表示画面１０９は横長（表示画素  縦４８０×横６４０ピクセル）とされているので、画像データの情報量が保持され、画質が維持される。即ち、撮像素子１０５がＶＧＡに準拠した受光画素である縦４８０×横６４０ピクセルである場合と、同じ画質の画像が表示画面１０９に表示されるようになる。
【００３７】
ステップＳ１０７及びステップＳ１０５の処理の後、主制御部１０１は、撮像キー１０８ａが操作されたか否かを判別する（ステップＳ１０８）。
【００３８】
主制御部１０１は、撮像キー１０８ａが操作されたと判別すると（ステップＳ１０８：Ｙｅｓ）、画像処理部１１１は、撮像素子１０５から縦長（縦６４０×横４８０ピクセル）又は横長（縦４８０×横６４０ピクセル）の画像データを読み出し、撮影画像（撮像データ）に変換する（ステップＳ１０９）。この撮影画像は、携帯電話機１００の操作部１０８における所定のキー操作により、画像データとして記憶部１０３に格納される。
【００３９】
そして、主制御部１０１は、撮像画像を表示画面１０９に表示する（ステップＳ１１０）とともに、ここでの処理を一旦終了する。
【００４０】
一方、主制御部１０１は、撮像キー１０８ａが操作されていないと判別すると（ステップＳ１０８：Ｎｏ）、ユーザによる撮像キー１０８ａの操作有無の判別状態を継続する（ステップＳ１０８）。
【００４１】
以上の処理により、携帯電話機１００の姿勢によらず、縦６４０×横４８０ピクセルという少ない表示画素数の撮像素子を用いて、携帯電話機１００の表示画面１０９に高画質な画像データ（縦長（縦６４０×横４８０ピクセル）又は横長（縦４８０×横６４０ピクセル））を表示させることができる。
【００４２】
記憶部１０３に保存された撮影画像は、携帯電話機１００の操作部１０８における所定のキー操作により、表示制御部１１２によって表示画面１０９に表示することができる。この際、撮像素子１０５から画像データを取り出す処理（ステップＳ１０４、Ｓ１０６）に代えて、記憶部１０３から画像データを読み出す処理が行われる。この読み出し処理以外は、上記したステップＳ１０２〜ステップＳ１０７と同様な処理が行われ、表示画面１０９に高画質な画像データが表示される。
【００４３】
なお、本発明は上記実施の形態に限定されず、種々の変形及び応用が可能である。
【００４４】
上記実施形態では、第１筐体１０と第２筐体１１とがヒンジ部１０ａにより折り畳み可能に連結された折り畳み式の携帯電話機１００に本発明の技術的思想を適用した。しかしこれに限られず、本発明の技術的思想は、図６（ａ）及び（ｂ）に示すように、縦長の表示画面１０９を有する第１筐体２０が、第２筐体２１に設けられた回転部（図示せず）を中心として回転可能に構成されている回転式の携帯電話機２００にも適用することができる。なお、図６（ａ）に示す第１筐体１０において、表示画面１０９の上方位置にはスピーカ１０７が配設されており、表示画面１０９の下方位置には、マイクロフォン１０６が配設されている。
【００４５】
この例では、図６（ａ）に示すように、第１筐体２０が、携帯電話機２００の第２筐体２１を所持するユーザから見て表示画面１０９が縦長状態の回転位置にある場合には、画像データ（画素数が縦６４０×横４８０ピクセルの画像データ）が縦長（表示画素  縦６４０×横４８０ピクセル）で表示される。このため、画像データの情報量が保持され、画質が維持される。
【００４６】
一方、図６（ｂ）に示すように、第１筐体２０が、携帯電話機２００の第２筐体２１を所持するユーザから見て表示画面１０９が横長状態の回転位置にある場合には、画像データ（画素数が縦４８０×横６４０ピクセルの画像データ）が縦長（表示画素  縦４８０×横６４０ピクセル）で表示される。このため、図６（ａ）に示す場合と同様に、画像データの情報量が保持され、画質が維持される。
【００４７】
また、上記実施形態では、表示画面１０９には、静止画を表示する態様を説明したが、これに限られず、本発明の技術的思想は、動画を表示する態様にも適用することができる。例えば、携帯電話機１００を横置き状態で動画を撮影するとともに、携帯電話機１００が横置き状態、つまり、表示画面１０９が横長の状態で当該動画を表示させることも可能である。
【００４８】
さらに、上記実施形態では、画像処理部１１１が撮像素子１０５から取り出す画像データの画素数と、表示画面１０９の表示画素数は同じとしたが、これに限られず、画像処理部１１１が撮像素子１０５から取り出す画像データの画素数は、縦横の比率を維持した状態で、表示画面１０９の表示画素数よりも大きくしてもよい。
【符号の説明】
【００４９】
１０  第１筐体
１１  第２筐体
１００  携帯電話機
１０１  主制御部
１０３  記憶部
１０４  カメラ装置（光学装置）
１０５  撮像素子（ＣＭＯＳセンサー）
１０８  操作部
１０９  表示画面
１１０  カメラ装置制御部
１１１  画像処理部
１１２  表示制御部
１１３  加速度センサ（検知手段）
【図１】
2011151515.tif 000003
【図２】
2011151515.tif 000004
【図３】
2011151515.tif 000005
【図４】
2011151515.tif 000006
【図５】
2011151515.tif 000007
【図６】
2011151515.tif 000008
【図７】
2011151515.tif 000009
【図８】
2011151515.tif 000010